(57)【要約】【課題】機能性と第三者に対する安全性とが十分に保障されると共に、収納性にも優れた構造のエレベータ用三方枠安全柵を提供する。【解決手段】この三方枠安全柵は、三方枠用側枠１の収納部１３に収納されて上段側に配置される伸縮可能な第１の仕切り棒５ａ、並びに三方枠用側枠１１の収納部１４に収納されて下段側に配置される伸縮可能な第２の仕切り棒５ｂを備える。保守点検作業時に仕切り棒５ａは軸部６１での回動操作を経て三方枠幅超え寸法に引き伸ばされて先端部２１が収納部１４に設けられたＵ字型軸受７に掛止され、仕切り棒５ｂは軸部６での回動操作を経て三方枠幅超え寸法に引き伸ばされて先端部２が収納部１３に設けられたＵ字型軸受７１に掛止される。この状態で仕切り棒５ａの最大口径の棒状部５１に巻き付けた仕切り幕９は、移動先の中間口径の棒状部４１から引き出されて展開操作を経て仕切り棒５ｂの中間口径の棒状部４に張り渡たされる。【選択図】図３
2014034441.tif 000002
【特許請求の範囲】
【請求項１】
エレベータの乗場口近傍の階床側を除く乗場扉の周囲三方に設置された三方枠における左右一対の三方枠用側枠に設けられた収納部内に収納されるエレベータ用三方枠安全柵であって、
前記三方枠用側枠の一方の前記収納部に収納されると共に、仕切り幕を巻き付けた上段側に配置される伸縮可能な第１の仕切り棒と、前記三方枠用側枠の他方の前記収納部に収納されると共に、下段側に配置される伸縮可能な第２の仕切り棒と、を備え、
前記第１の仕切り棒及び前記第２の仕切り棒は、本体を相手側の前記収納部の方向へ回動可能とするための軸部を有すると共に、保守点検作業時に回動操作を経て前記三方枠の幅寸法を超過する所定長となるように引き伸ばされて先端部が互いに相手側の当該収納部に設けられた固定部に固定され、
前記仕切り幕は、保守点検作業時に前記第１の仕切り棒及び前記第２の仕切り棒における前記先端部が前記固定部に固定された状態で当該第１の仕切り棒から引き出されて展開操作を経て当該第２の仕切り棒に張り渡たされることを特徴とするエレベータ用三方枠安全柵。
【請求項２】
請求項１記載のエレベータ用三方枠安全柵において、前記固定部は、前記第１の仕切り棒及び前記第２の仕切り棒における前記先端部を嵌め込むための切欠かれた凹部を有する軸受であることを特徴とするエレベータ用三方枠安全柵。
【請求項３】
請求項２記載のエレベータ用三方枠安全柵において、前記第１の仕切り棒及び前記第２の仕切り棒における前記先端部には抜け止めが取り付けられ、前記抜け止めの外郭寸法は前記凹部の最大間隔寸法よりも大きいことを特徴とするエレベータ用三方枠安全柵。
【請求項４】
請求項３記載のエレベータ用三方枠安全柵において、前記第１の仕切り棒及び前記第２の仕切り棒における前記先端部の延在方向に垂直な平面方向における断面形状は、短辺と長辺とを有する略長円形状であり、前記短辺の寸法は前記凹部の最小間隔寸法よりも小さく、前記長辺の寸法は前記凹部の最小間隔寸法よりも大きく、当該凹部の最大間隔寸法以下であることを特徴とするエレベータ用三方枠安全柵。
【発明の詳細な説明】
【技術分野】
【０００１】
本発明は、エレベータの保守点検時に乗場口への第三者の立ち入りを規制するために乗場口に設置されるエレベータ用三方枠安全柵に関する。
【背景技術】
【０００２】
従来、エレベータの保守点検時には、各階床或いは必要な階床の乗場口の前方に安全柵を設置して乗場口への第三者の立ち入りを規制すると共に、係る乗場口の上部に点検札を掲げて点検作業中である旨を第三者に知らせる（安全柵に点検札を取り付ける場合が多い）ようにしている。
【０００３】
このような安全柵をエレベータの乗場口付近に設置する周知技術としては、例えば乗場扉裏側に取り付けた左右のレバーを水平に倒して突合せにして安全柵して使用する構造のものが知られている。この構造の場合、扉が開放されている状態でなければ使用できなかったり、第三者に対して点検作業中であることを知らせる機能がないため、単体で安全柵として使用するには、機能性と第三者に対する安全性とに問題がある。
【０００４】
また、エレベータの保守点検作業の開始前に別途安全柵をエレベータホールに持ち込んで展開するか、或いは組み立てて設置する構成のものでは、その準備と設置作業とに多大な労力、時間を要するばかりでなく、単に突っ張り棒を固定した構造では着脱が容易であるため、扉が開放されている状況では第三者の塔内（昇降路内）への転落を防止することが困難であることにより、単体で安全柵として使用するには、上述した既存の技術の場合と同様に、機能性と第三者に対する安全性とに問題がある。
【０００５】
そこで、エレベータホールへの持ち込みやエレベータホールからの撤去等を要することなく、必要に応じて即座に能率良く乗場口の前方部を仕切って乗場口への第三者の立入りを規制するようにした「エレベータの乗場口安全柵装置」（特許文献１参照）が提案されている。
【先行技術文献】
【特許文献】
【０００６】
【特許文献１】特開２００８−２６５９６８号公報
【発明の概要】
【発明が解決しようとする課題】
【０００７】
上述した特許文献１の技術は、三方枠用側枠の一方に収納した巻き軸に巻き付けた仕切り幕をばね部材の弾性力に抗して引き出して三方枠用側枠の他方の間に張り渡すことにより、仕切り幕を乗降口に張り渡すようにした構造の安全柵であるが、扉が開放されている状態で第三者が誤って仕切り幕に凭れ掛かったり、或いは仕切り幕を越えた場合に、仕切り幕が第三者の体重を支えることができない状況が発生して第三者が塔内（昇降路内）へ転落してしまう危険性があるという点、並びに巻き取り式の仕切り幕の巻き取り力の弱まった際等に仕切り幕が脱落する可能性がある点で安全性に問題がある。
【０００８】
また、特許文献１の技術は、仕切り幕が巻き軸と一体化されているために仕切り幕の破損時や汚損時における交換が困難であり、取扱い上の不便さを否めないという点で機能性にも問題がある。即ち、引用文献１の安全柵についても、上述した既存の技術の場合と同様に、機能性と第三者に対する安全性とが十分に保障されていないという問題がある。
【０００９】
本発明は、このような問題点を解決すべくなされたもので、その技術的課題は、機能性と第三者に対する安全性とが十分に保障されると共に、収納性にも優れた構造のエレベータ用三方枠安全柵を提供することにある。
【課題を解決するための手段】
【００１０】
上記技術的課題を解決するため、本発明は、エレベータの乗場口近傍の階床側を除く乗場扉の周囲三方に設置された三方枠における左右一対の三方枠用側枠に設けられた収納部内に収納されるエレベータ用三方枠安全柵であって、三方枠用側枠の一方の収納部に収納されると共に、仕切り幕を巻き付けた上段側に配置される伸縮可能な第１の仕切り棒と、三方枠用側枠の他方の収納部に収納されると共に、下段側に配置される伸縮可能な第２の仕切り棒と、を備え、第１の仕切り棒及び第２の仕切り棒は、本体を相手側の収納部の方向へ回動可能とするための軸部を有すると共に、保守点検作業時に回動操作を経て三方枠の幅寸法を超過する所定長となるように引き伸ばされて先端部が互いに相手側の当該収納部に設けられた固定部に固定され、仕切り幕は、保守点検作業時に第１の仕切り棒及び第２の仕切り棒における先端部が固定部に固定された状態で当該第１の仕切り棒から引き出されて展開操作を経て当該第２の仕切り棒に張り渡たされることを特徴とする。
【発明の効果】
【００１１】
本発明のエレベータ用三方枠安全柵によれば、三方枠用側枠の一方の収納部には仕切り幕を巻き付けた上段側に配置される伸縮可能な第１の仕切り棒を収納すると共に、三方枠用側枠の他方の収納部には下段側に配置される伸縮可能な第２の仕切り棒を収納し、相手側の収納部の方向へ回動可能とするための軸部を有する各仕切り棒については、保守点検作業時に回動操作を経て三方枠の幅寸法を超過する所定長となるように引き伸ばされて先端部が互いに相手側の収納部に設けられた固定部に固定されるようにした上、仕切り幕を上段側の第１の仕切り棒から引き出して展開操作させて下段側の第２の仕切り棒に張り渡す構成の安全柵としたことにより、機能性と第三者に対する安全性とが十分に保障されると共に、収納性にも優れた構造となる。
【図面の簡単な説明】
【００１２】
【図１】本発明の実施例１に係るエレベータ用三方枠安全柵の収納部を含む乗場扉周辺構成をエレベータホール側の正面方向から示した概略図である。
【図２】図１に示される三方枠用側枠の収納部を開状態にして収納状態にある三方枠安全柵を成す仕切り棒を露呈させて示した要部の概略図である。
【図３】図２に示す仕切り棒を回動操作させてから引き伸ばして先端部を互いに相手側の収納部に設けられた固定部に固定した状態を示した要部の概略図である。
【図４】図３に示す一方側の三方枠用側枠の収納部から引き伸ばして上段側に配置される仕切り棒の先端部を他方側の三方枠用側枠の収納部に設けられた固定部の軸受で固定する様子を示した固定前の要部の拡大斜視図である。
【図５】図３に示す一方側の三方枠用側枠の収納部から引き伸ばして上段側に位置される仕切り棒の先端部を他方側の三方枠用側枠の収納部に設けられた固定部の軸受で固定する様子を示した固定後の要部の拡大斜視図である。
【図６】図３に示した状態で上段側に配置される仕切り棒から仕切り幕を引き出して展開操作して下段側に配置される仕切り棒に張り渡した状態を示した要部の概略図である。
【発明を実施するための形態】
【００１３】
以下に、本発明のエレベータ用三方枠安全柵について、実施例を挙げ、図面を参照して詳細に説明する。
【実施例１】
【００１４】
図１は、本発明の実施例１に係るエレベータ用三方枠安全柵の収納部を含む乗場扉周辺構成をエレベータホール側の正面方向から示した概略図である。この三方枠安全柵は、エレベータの乗場口近傍の階床側を除く乗場扉１９ａ、１９ｂの周囲三方に設置された三方枠１００における上方の三方枠用上枠１２以外の左右一対の三方枠用側枠１、１１に設けられた収納部１３、１４内に収納されるものである。三方枠１００自体は、建物（建屋）の壁面に形成された開口部の内側に垂直に据え付けられた一対の三方枠用側枠１、１１の上端部間に水平に三方枠用上枠１２が掛け渡された門型構成となっている。
【００１５】
また、三方枠用側枠１に設けられた収納部１３は、蝶番１５により開閉可能な収納扉１３ａ内に後述する三方枠安全柵を構成する部品が収納された収納空間を持ち、収納扉１３ａに設けられた取っ手１６を引っ張ることで蝶番１５を軸として収納扉１３ａが開状態となったときに縦長の開口部８が露呈される構造となっている。三方枠用側枠１１に設けられた収納部１４についても同様に、蝶番１７により開閉可能な収納扉１４ａ内に後述する三方枠安全柵を構成する部品が収納された収納空間を持ち、収納扉１４ａに設けられた取っ手１８を引っ張ることで蝶番１７を軸として収納扉１４ａが開状態となったときに縦長の開口部８１が露呈される構造となっている。因みに、ここでの取っ手１６、１８は利用者（乗員、乗客）の衣服等に引っ掛からないように穴形や収納扉１３ａ、１４ａ内に収納可能なタイプであることが望ましい。また、開口部８、８１の位置は、エレベータの保守点検作業時に作業員が乗場扉１９ａ、１９ｂを手動で開放した後に乗場口を通って昇降路内に進入し、所定の作業を実施する間、乗場扉１９ａ、１９ｂが開いていることにより生じる開口から第三者が塔内（昇降路内）へ転落するのを防止するために安全柵等の防護手段を設置すべき高さであり、例えば階床面から５０〜１００ｃｍの高さ位置とする場合を例示できる。
【００１６】
図２は、三方枠用側枠１、１１の収納部を開状態にして収納状態にある三方枠安全柵を成す仕切り棒（第１の仕切り棒５ａ、第２の仕切り棒５ｂ）を露呈させて示した要部の概略図である。図２を参照すれば、ここでは三方枠用側枠１に設けられた収納部１３には、仕切り幕９を巻き付けた上段側に配置されるテレスコピック状に伸縮可能な第１の仕切り棒５ａが収納されている様子を開口部８の露呈状態で示している。また、三方枠用側枠１１に設けられた収納部１４には、下段側に配置されるテレスコピック状に伸縮可能な第２の仕切り棒５ｂが収納されている様子を開口部８１の露呈状態で示している。これらの第１の仕切り棒５ａ及び第２の仕切り棒５ｂは、相手側の収納部の方向へ本体を回動可能とするための軸部６１、６を有すると共に、保守点検作業時以外の収納時に開口部８、８１内に収納可能な長さに押し縮められて先端部２１、２（図２中では第２の仕切り棒５ｂに係る先端部２のみが図示されている）が自身の収納部１３、１４に設けられた固定部に固定されるようになっている。
【００１７】
具体的に云えば、上段側に配置される第１の仕切り棒５ａは、相手側の収納部１４の方向であって、上向きの９０度回動方向９１へと本体を回動可能とするための軸部６１を有し、保守点検作業以外の収納時には抜け止め２１ａを有する先端部２１が固定部としての軸受であるＵ字型軸受７１における切欠かれた凹部に嵌め込まれて掛止固定されている。下段側に配置される第２の仕切り棒５ｂは、相手側の収納部１３の方向であって、下向きの９０度回動方向９２へと本体を回動可能とするための軸部６を有し、保守点検作業以外の収納時には抜け止め２ａを有する先端部２が固定部としての軸受であるＵ字型軸受７における切欠かれた凹部に嵌め込まれて掛止固定されている。尚、ここでの第１の仕切り棒５ａ及び第２の仕切り棒５ｂは、開口部８、８１内に収納可能な長さに押し縮められて収納されているため、本体部分が全体ではなく部分的な構成部分のみが露呈されている。例えば第１の仕切り棒５ａでは外見上において、上述した軸部６１及び抜け止め２１ａ以外に仕切り幕９及び棒状部５１のみが露呈され、第２の仕切り棒５ｂでは外見上において、上述した軸部６、先端部２及び抜け止め２ａ以外に口径の異なる棒状部３、５のみが露呈されている。
【００１８】
図３は、仕切り棒（第１の仕切り棒５ａ、第２の仕切り棒５ｂ）を回動操作させてから引き伸ばして先端部を互いに相手側の収納部に設けられた固定部に固定した状態を示した要部の概略図である。図３を参照すれば、ここでは第１の仕切り棒５ａ、第２の仕切り棒５ｂについて、保守点検作業時に回動操作を経て三方枠１００の幅寸法を超過する所定長となるように引き伸ばされて先端部２１、２が互いに相手側の収納部に設けられた固定部に固定される様子を示している。
【００１９】
具体的に云えば、上段側に配置される第１の仕切り棒５ａは、三方枠１００の幅寸法を超過する所定長となるように引き伸ばされた状態では、本体が軸部６１により回動可能に軸支された最大口径で収納時に仕切り幕９が巻かれた棒状部５１、引き伸ばし時に仕切り幕９が移動される中間口径の棒状部４１、最小口径の棒状部３１、並びに抜け止め２１ａを有する先端部２１から構成されている。また、下段側に配置される第２の仕切り棒５ｂは、三方枠１００の幅寸法を超過する所定長となるように引き伸ばされた状態では、本体が軸部６により回動可能に軸支された最大口径の棒状部５、仕切り幕９が張り渡される中間口径の棒状部４、最小口径の棒状部３、並びに抜け止め２ａを有する先端部２から構成されている。即ち、図３に示す状態において、第１の仕切り棒５ａは、保守点検作業時に回動操作を経て所定長となるように引き伸ばされて相手側の収納部１４に設けられたＵ字型軸受７に先端部２１が嵌め込まれて掛止固定され、同様に第２の仕切り棒５ｂは、保守点検作業時に回動操作を経て所定長となるように引き伸ばされて相手側の収納部１３に設けられたＵ字型軸受７１に先端部２が嵌め込まれて掛止固定される。この状態で仕切り幕９は、保守点検作業時に第１の仕切り棒５ａの中間口径の棒状部４１から引き出されて展開方向９３への展開操作を経て第２の仕切り棒５ｂの中間口径の棒状部４に張り渡たされる。
【００２０】
図４は、一方側の三方枠用側枠１の収納部１３から引き伸ばして上段側に配置される第１の仕切り棒５ａの先端部２１を他方側の三方枠用側枠１１の収納部１４に設けられた固定部のＵ字型軸受７で固定する様子を示した固定前の要部の拡大斜視図である。図４を参照すれば、Ｕ字型軸受７は、階床面方向で真上から見た外観が略Ｌ字型の縦型起立片となっており、第１の仕切り棒５ａの棒状部３１における抜け止め２１ａが取付けられた先端部２１を嵌め込むための切欠かれた凹部を有すると共に、第１の仕切り棒５ａの延在方向と垂直な面に存在する棒固定用片部と、この棒固定用片部から収納部１４の壁面へと垂直に折り曲げられて存在すると共に、軸受固定ボルト７２により収納部１４の壁面に取り付けるための取付用片部と、から構成される様子を示している。
【００２１】
また、Ｕ字型軸受７の棒固定用片部における凹部周辺には、軸受突起部７ａ、７ｂが形成されている。ここで、第１の仕切り棒５ａにおける棒状部３１の先端部２１に取付けられた抜け止め２１ａの外郭寸法は、凹部の最大間隔寸法よりも大きくなっている。また、第１の仕切り棒５ａにおける棒状部３１の先端部２１の延在方向に垂直な平面方向における断面形状は、短辺と長辺とを有する略長円形状となっており、短辺の寸法は凹部の最小間隔寸法（軸受突起部７ａ、７ｂの最小間隔）よりも小さく、長辺の寸法は凹部の最小間隔寸法よりも大きく、凹部の最大間隔寸法（軸受突起部７ａ、７ｂの最大間隔）以下となっている。こうした諸条件を持つ構造において、図４に示されるように第１の仕切り棒５ａの棒状部３１の先端部２１を長辺が垂直になる向きで挿置方向９４に従ってＵ字型軸受７の棒固定用片部の凹部（軸受突起部７ａ、７ｂの間隔）に挿置する。因みに、軸受突起部７ａ、７ｂの最小間隔を凹部の他の部分の間隔よりも小さくして最小間隔を持たせた理由は、先端部２１、２がＵ字型軸受７１、７の凹部に対して挿置された後に凹部から鉛直方向で外れるのを防止する機能を持たせるためである。
【００２２】
図５は、一方側の三方枠用側枠１の収納部１３から引き伸ばして上段側に配置される第１の仕切り棒５ａの先端部２１を他方側の三方枠用側枠１１の収納部１４に設けられた固定部のＵ字型軸受７で固定する様子を示した固定後の要部の拡大斜視図である。図５を参照すれば、第１の仕切り棒５ａの棒状部３１の先端部２１を長辺が垂直になる向きで挿置方向９４に従ってＵ字型軸受７の棒固定用片部の凹部に挿置した後、第１の仕切り棒５ａの棒状部３１の先端部２１を長辺が水平方向になる向きの９０度回転方向９５へ回転操作して固定する様子を示している。こうした状態では、第１の仕切り棒５ａの棒状部３１の先端部２１がＵ字型軸受７の棒固定用片部の凹部の壁面に密着するように安定して固定されるため、第１の仕切り棒５ａ全体の機械的強度が向上する。
【００２３】
ところで、図４及び図５では、一方側の三方枠用側枠１の収納部１３から引き伸ばして上段側に配置される第１の仕切り棒５ａの先端部２１を他方側の三方枠用側枠１１の収納部１４に設けられた固定部のＵ字型軸受７で固定する様子を示したが、他方側の三方枠用側枠１１の収納部１４から引き伸ばして下段側に配置される第２の仕切り棒５ｂの先端部２を一方側の三方枠用側枠１の収納部１３に設けられた固定部のＵ字型軸受７１で固定する場合も同様な構成手順で行われるものである。
【００２４】
尚、第１の仕切り棒５ａにおける棒状部３１の先端部２１や第２の仕切り棒５ｂにおける棒状部３の先端部２の延在方向に垂直な平面方向における断面形状は、上述した略長円形状に限定されるものでなく、その他に楕円形や角部を丸くした長方形、或いは円形としても良い。但し、先端部２、２１の断面形状を円形にした場合には、Ｕ字型軸受７、７１の棒固定用片部の凹部の寸法について、軸受突起部７ａ、７ｂの最小間隔を円形の口径（直径）φよりもやや小さくする必要があり、この場合には弾性変形を伴って凹部に挿入されることになる。何れにせよ、第１の仕切り棒５ａ及び第２の仕切り棒５ｂが三方枠安全柵として機械的強度が高められて固定された後には、第１の仕切り棒５ａの中間口径の棒状部４１に巻き付けた仕切り幕９を棒状部４１から引き出して展開操作を経て第２の仕切り棒５ｂの中間口径の棒状部４に張り渡たす。
【００２５】
図６は、上段側に配置される第１の仕切り棒５ａから仕切り幕９を引き出して展開操作して下段側に配置される第２の仕切り棒５ｂに張り渡した状態を示した要部の概略図である。図６を参照すれば、第１の仕切り棒５ａ及び第２の仕切り棒５ｂを固定した後、第１の仕切り棒５ａの中間口径の棒状部４１に移動された一般人に対する注意を促す文言、例えば「作業中」や「進入禁止」と印字された仕切り幕９を棒状部４１から引き出して展開操作して第２の仕切り棒５ｂの中間口径の棒状部４に張り渡たした状態を示している。三方枠安全柵としての組み付けは、このようにして完了する。
【００２６】
以下は、保守点検時に作業員が三方枠安全柵を設置する作業手順を簡単に説明する。作業員は、保守点検時に最初に収納部１３の収納扉１３ａの取っ手１６と収納部１４の収納扉１４ａの取っ手１８を操作して収納扉１３ａ、１４ａを開き、Ｕ字型軸受７１、７に掛止めされている第１の仕切り棒５ａの棒状部３１の先端部２１、第２の仕切り棒５ｂの棒状部３の先端部２をそれぞれ口径の大きい棒状部４１、４とに挿入するようにして図５に示した９０度回転方向９５とは反対方向へ回転させながら手前側へ引き出すことにより、Ｕ字型軸受７１、７に掛止めを解除する。次に、第１の仕切り棒５ａを上段側に配置されるように図２中に示した上向きの９０度回動方向９１に従って回動操作し、第２の仕切り棒５ｂを下段側に配置されるように図２中に示した下向きの９０度回動方向９２に従って回動操作し、それぞれ平行な位置関係とする。
【００２７】
更に、第１の仕切り棒５ａの棒状部３１の先端部２１については、図３に示したように所定長になるように引き伸ばして相手側の収納部１４に設けられたＵ字型軸受７の凹部に図４に示した挿置方向９４で挿置した後、図５に示した９０度回転方向９５に回転させて凹部の壁面に密着させる。また、第２の仕切り棒５ｂの棒状部３の先端部２についても同様に、所定長になるように引き伸ばして相手側の収納部１３に設けられたＵ字型軸受７１の凹部に挿置した後、９０度回転方向９５に回転させて凹部の壁面に密着させる。これにより、先端部２１、２は弾性変形を伴うことなくＵ字型軸受７、７１の凹部の壁面に密着されるため、水平方向での掛止固定の強度が高められて外れ防止機能が強化される。尚、先端部２１、２の断面形状を略長円形状以外の他の形状とした場合（特に円形にした場合）には水平方向での移動が幾分生じ得るものと想定されるが、抜け止め２１ａ、２ａが取り付けられているために微量で済んで水平方向での移動が適確に規制されるため、安全性には全く問題がない。
【００２８】
そこで、次に作業員は、第１の仕切り棒５ａの最大口径の棒状部５１に巻き付けた仕切り幕９を図３に示すように中間口径の棒状部４１に移動させ、移動先の棒状部４１から展開方向９３に従って引き出して展開操作を経て第２の仕切り棒５ｂの中間口径の棒状部４に張り渡たす。仕切り幕９は、例えばビニール等の合成樹脂を素材とした耐久性の高い帯状のシートにより構成されており、上部先端が保守点検時に棒状部５１に対して可動となるように円筒状に巻き掛けられて収納部１３に収納されている。作業員は、仕切り幕９を移動先の棒状部４１から第２の仕切り棒５ｂの棒状部４に張り渡たすとき、仕切り幕９の下方先端部に設けた図示されないファスナーやホック等を使用して仕切り幕９の下方先端部を第２の仕切り棒５ｂの棒状部４に固定する。このようにして、安全柵の略中央部分には第三者に対して注意を喚起するための表示である作業中や進入禁止が印字された仕切り幕９を張り渡して三方枠安全柵を設置することができる。因みに、仕切り幕９の上部先端は、棒状部５１に対して可動となるように円筒上に巻き掛けられており、第１の仕切り棒５ａとは着脱可能であることにより、状況に応じて仕切り幕９の表記変更が必要となったり、或いは仕切り幕９の劣化や破損があって交換する必要があるときには、容易に交換することができる。
【００２９】
以上に説明した実施例１に係るエレベータ用三方枠安全柵によれば、一方の三方枠用側枠１の収納部１３には仕切り幕９を巻き付けた上段側に配置される伸縮可能な第１の仕切り棒５ａを収納すると共に、他方の三方枠用側枠１１の収納部１４には下段側に配置される伸縮可能な第２の仕切り棒５ｂを収納し、各仕切り棒５ａ、５ｂについては、本体を相手側の収納部１４、１３の方向へ回動可能とするための軸部６１、６を有し、保守点検作業時に回動操作を経て三方枠１００の幅寸法を超過する所定長となるように引き伸ばされて先端部２１、２が互いに相手側の収納部１４、１３に設けられた固定部のＵ字型軸受７、７１に掛止固定されるようにした上、仕切り幕９を上段側の第１の仕切り棒５ａから引き出して展開操作させて下段側の第２の仕切り棒５ｂに張り渡す構成の三方枠安全柵としたことにより、機能性と第三者に対する安全性とが十分に保障されると共に、収納性にも優れた構造となる。この結果、エレベータの乗場口への第三者の立ち入りを安全性高く規制でき、万一第三者による悪戯や好奇心により三方枠安全柵（仕切り幕９を含む）に凭れ掛かかっても、機会的強度が向上されているために塔内（昇降路内）へ転落してしまう危険性が少なく、しかも仕切り幕９の取り付け強度も向上されているため、仕切り幕９が脱落する可能性も少なく、安全性が高いものとなっている。
【００３０】
尚、実施例１に係るエレベータ用三方枠安全柵では、一方の三方枠用側枠１の収納部１３に仕切り幕９を巻き付けた上段側に配置される伸縮可能な１本の第１の仕切り棒５ａを収納すると共に、他方の三方枠用側枠１１の収納部１４に下段側に配置される伸縮可能な１本の第２の仕切り棒５ｂを収納した場合を説明したが、収納部１３、１４の何れかの収納空間に余裕があれば２本以上の仕切り棒を併設し、総計４本以上の仕切り棒による三方枠安全柵を構成することも可能であるので、本発明のエレベータ用三方枠安全柵は実施例１で開示したものに限定されない。但し、このような１つの収納部内で複数本の仕切り棒を併設して収納する構成では、各仕切り棒の取付け位置を垂直方向で段差を持たせ、軸部を中心とした回動方向での移動が順次行われるように配慮する必要がある。こうした構成の場合には、仕切り棒の総数が増設される分、安全性が高められることになる。
【００３１】
何れにしても、実施例１に係るエレベータ用三方枠安全柵によれば、作業者が保守点検作業時に各階床の乗場毎に三方枠用側枠１、１１の収納部１３、１４から各仕切り棒５ａ、５ｂを取り出して安全性の高い三方枠安全柵を容易に設置できるため、既存の安全柵を設置する場合に必要であった専用の安全柵部材を作業者が保守点検作業の都度、エレベータホールに個々に持ち込み、保守点検作業が終了した後に個々の安全柵部材を折り畳んだり、分解して保管場所まで搬送するような煩雑な手間や面倒がなく（昨今の建物の高層化を考慮すれば大きな問題であると言える）、従来になく保守点検作業を安心して行うことができる。また、保守点検時以外には伸縮可能な各仕切り棒５ａ、５ｂが収納部１３、１４に収納可能な長さに押し縮められて収納されるため、三方枠安全柵を保管するためのスペースを別途確保するような必要もなく、管理が容易になるという利点もある。
【符号の説明】
【００３２】
１、１１  三方枠用側枠
２、２１  先端部
２ａ、２１ａ  抜け止め
３、４、５、３１、４１、５１  棒状部
６、６１  軸部
７、７１  Ｕ字型軸受
７a、７ｂ  軸受突起部
８、８１  開口部
９  仕切り幕
１２  三方枠用上枠
１３、１４  収納部
１３ａ、１４ａ  収納扉
１５、１７  蝶番
１６、１８  取っ手
１９ａ、１９ｂ  乗場扉
７２  軸受固定ボルト
９１、９２  ９０度回動方向
９３  展開方向
９４  挿置方向
９５  ９０度回転方向
１００  三方枠
【図１】
2014034441.tif 000003
【図２】
2014034441.tif 000004
【図３】
2014034441.tif 000005
【図４】
2014034441.tif 000006
【図５】
2014034441.tif 000007
【図６】
2014034441.tif 000008